(57)【要約】【課題】録画予約の直前に記録されるタイトル画面を有効活用できるようにする。【解決手段】録画予約する番組のタイトル画面に対する背景を複数発生できるようにすると共に、複数のタイトル画面の背景の中から、所望の背景を選択して出力できるようにする。電子番組案内の情報を基に、タイトル画面に表示する文字情報を発生し、録画開始の直前に、選択された背景と文字情報とを合成してタイトル画面を形成し、タイトル画面を記録させる。これにより、タイトル画面は、録画開始時刻に応じて、或いは、ジャンルに応じて、或いは、設定したユーザに応じて、タイトル画面が変化される。【選択図】　　　　図４
2004120170.tif 000002
【特許請求の範囲】
【請求項１】
録画予約する番組のタイトル画面に対する背景を複数発生する背景発生手段と、
上記背景発生手段から発生される複数のタイトル画面の背景の中から、所望の背景を選択して出力させる背景選択手段と、
電子番組案内の情報を基に、上記タイトル画面に表示する文字情報を発生する文字情報発生手段と、
上記背景発生手段からの背景と、上記文字情報発生手段からの文字情報とを合成してタイトル画面を形成するタイトル画面形成手段と、
録画開始の直前に、上記背景発生手段からの背景と上記文字情報発生手段からの文字情報とを合成してタイトル画面を形成し、録画開始時刻になったら、録画設定した受信番組を記録させる制御手段と
を備えるようにした受信装置。
【請求項２】
上記タイトル画面の背景は録画時間帯毎に複数用意されており、録画する時間帯に応じたタイトル画面の背景を選択するようにした請求項１に記載の受信装置。
【請求項３】
上記タイトル画面の背景はジャンル毎に複数用意されており、録画する番組のジャンルに応じたタイトル画面の背景を選択するようにした請求項１に記載の受信装置。
【請求項４】
上記ジャンルの情報を電子番組案内の情報に基づいて得るようにした請求項３に記載の受信装置。
【請求項５】
上記タイトル画面の背景はユーザ毎に複数用意されており、録画するユーザに応じたタイトル画面の背景を選択するようにした請求項１に記載の受信装置。
【請求項６】
録画予約する番組のタイトル画面に対する背景を複数発生できるようにすると共に、上記複数のタイトル画面の複背景の中から、所望の背景を選択して出力できるようにし、
電子番組案内の情報を基に、上記タイトル画面に表示する文字情報を発生し、録画開始の直前に、上記選択された背景と上記文字情報とを合成してタイトル画面を形成し、
録画開始時刻になったら、録画設定した受信番組を記録させる
ようにした録画設定方法。
【請求項７】
上記タイトル画面の背景は録画時間帯毎に複数用意されており、録画する時間帯に応じたタイトル画面の背景を選択するようにした請求項６に記載の録画設定方法。
【請求項８】
上記タイトル画面の背景はジャンル毎に複数用意されており、録画する番組のジャンルに応じたタイトル画面の背景を選択するようにした請求項６に記載の録画設定方法。
【請求項９】
上記ジャンルの情報を電子番組案内の情報に基づいて得るようにした請求項８に記載の録画設定方法。
【請求項１０】
上記タイトル画面の背景はユーザ毎に複数用意されており、録画するユーザに応じたタイトル画面の背景を選択するようにした請求項６に記載の録画設定方法。
【発明の詳細な説明】
【０００１】
【発明の属する技術分野】
この発明は、ディジタルＢＳ（Ｂｒｏａｄｃａｓｔ　Ｓａｔｅｌｌｉｔｅ）放送やディジタルＣＳ（Ｃｏｍｍｕｎｉｃａｔｉｏｎ　Ｓａｔｅｌｌｉｔｅ）放送のようなディジタル衛星放送で録画予約する際に用いて好適な受信装置及び録画設定方法に関するもので、特に、録画予約時のタイトル画面表示に係わる。
【０００２】
【従来の技術】
ディジタル衛星放送（ディジタルＢＳ放送やディジタルＣＳ放送）では、ＥＰＧ（Ｅｌｅｃｔｒｏｎｉｃ　Ｐｒｏｇｒａｍ　Ｇｕｉｄｅ）と呼ばれている電子番組案内を使って、録画設定を行うことができる。すなわち、ディジタル衛星放送では、ＳＩ（Ｓｅｒｖｉｃｅ　Ｉｎｆｏｒｍａｔｉｏｎ）で、サービスのチャンネル名や個々の番組タイトル及び開始時刻／継続時間、さらに番組の内容や進行状況など、さまざま情報が流されている。このようにしてＳＩ情報を基に、ＥＰＧが作成される。ＥＰＧは、視聴者がサービスや個々の番組（Ｅｖｅｎｔ）を選択する際に必要な情報を受信機側で表示処理するものである。ユーザは、このＥＰＧの画面を使って、所望の番組の録画予約を行うことができる。
【０００３】
ＥＰＧを使って録画予約設定を行うと、タイトル画面挿入ありに設定しておくと、予約番組が開始される例えば３０秒前から、チャンネル、放送局名、タイトル、放送日時等が書かれたタイトル画面が記録されるようになる。そして、予約時間になると、録画設定された番組の受信が開始され、その受信番組が記録装置に記録される。
【０００４】
【発明が解決しようとする課題】
このように、従来の衛星放送の受信端末では、タイトル画面挿入ありに設定しておくと、ＥＰＧを使って録画予約設定を行うと、最初に、チャンネル、放送局名、タイトル、放送日時等が書かれたタイトル画面が記録され、それから、録画設定を行った番組が記録されるようになる。しかしながら、従来では、このタイトル画面の背景は常に変化がなく、また、文字だけの単調なものであった。
【０００５】
したがって、この発明の目的は、録画予約の直前に記録されるタイトル画面を有効活用できるようにした受信装置及び録画設定方法を提供することにある。
【０００６】
【課題を解決するための手段】
この発明は、録画予約する番組のタイトル画面に対する背景を複数発生する背景発生手段と、
背景発生手段から発生される複数のタイトル画面の背景の中から、所望の背景を選択して出力させる背景選択手段と、
電子番組案内の情報を基に、タイトル画面に表示する文字情報を発生する文字情報発生手段と、
背景発生手段からの背景と、文字情報発生手段からの文字情報とを合成してタイトル画面を形成するタイトル画面形成手段と、
録画開始の直前に、背景発生手段からの背景と文字情報発生手段からの文字情報とを合成してタイトル画面を形成し、録画開始時刻になったら、録画設定した受信番組を記録させる制御手段と
を備えるようにした受信装置である。
【０００７】
この発明は、録画予約する番組のタイトル画面に対する背景を複数発生できるようにすると共に、複数のタイトル画面の複背景の中から、所望の背景を選択して出力できるようにし、
電子番組案内の情報を基に、タイトル画面に表示する文字情報を発生し、
録画開始の直前に、選択された背景と文字情報とを合成してタイトル画面を形成し、
録画開始時刻になったら、録画設定した受信番組を記録させる
ようにした録画設定方法である。
【０００８】
この発明が適用された衛星放送チューナでは、予約番組が開始される前に映し出されるタイトル画面が、変化できるようにされている。
【０００９】
すなわち、録画開始時刻に応じてタイトル画面の背景が変化される。例えば、「朝のタイトル画面」と「昼のタイトル画面」と「夜のタイトル画面」を用意する。予約開始時刻が午前４時から午前１０時までなら「朝のタイトル画面」を表示し、予約開始時刻が午前１０時から午後６時までなら「昼のタイトル画面」を表示し、予約開始時刻が午後６時から午前４時までなら「夜のタイトル画面」を表示する。
【００１０】
また、ジャンルに応じてタイトル画面を変化させる。番組のジャンルに応じたタイトル画面を用意する。例えば、予約番組のジャンルがスポーツなら、「スポーツの画面」を表示し、予約番組のジャンルが音楽なら「音楽の画面」を表示し、予約番組のジャンルがニュースなら「ニュースの画面」を表示する。
【００１１】
また、ユーザに応じてタイトル画面を変化させる。例えば、家族なら、父用、母用、子供用のタイトル画面を用意する。父が設定した番組なら「父用の画面」を表示し、母が設定した番組なら「母用の画面」を表示し、子供が設定した番組なら「子供用の画面」を表示する。
【００１２】
このように、タイトル画面は、録画開始時刻に応じて、或いは、ジャンルに応じて、或いは、設定したユーザに応じて、タイトル画面が変化される。このため、タイトル画面が変化に富み、ユーザの楽しみが向上し、商品価値の向上が期待できる。また、このように、タイトル画面を変化させると、再生時に、所望の番組のサーチが簡単に行える。
【００１３】
【発明の実施の形態】
以下、この発明の実施の形態について図面を参照して説明する。図１は、この発明が適用できる受信端末としての衛星放送チューナの一例である。図１において、衛星放送チューナ１は、例えば、ＢＳディジタル衛星放送を受信するためのチューナである。衛星放送チューナ１は、記録装置２に接続される。記録装置２は、例えば、ＶＴＲ（Ｖｉｄｅｏ　Ｔａｐｅ　Ｒｅｃｏｒｄｅｒ）である。
【００１４】
例えば１２ＧＨｚ帯の電波で衛星を介して送られてくるディジタル衛星放送の電波は、パラボラアンテナ１１で受信され、パラボラアンテナ１１に取り付けられた低雑音コンバータ１２で、例えば、１ＧＨｚ帯の中間周波信号に変換される。この低雑音コンバータ１２の出力がケーブル１０を介して衛星放送チューナ１のアンテナ端子２１に供給される。
【００１５】
アンテナ端子２１からの信号は、チューナ回路２２に供給される。チューナ回路２２により、コントローラ２０から周波数設定用の制御信号に基づいて、受信信号の中から、所望の搬送波周波数の信号が選択される。
【００１６】
チューナ回路２２の出力が復調回路２３に供給される。復調回路２３では、ＢＰＳＫ（Ｂｉｎａｒｙ　Ｐｈａｓｅ　Ｓｈｉｆｔ　Ｋｅｙｉｎｇ　）と、ＱＰＳＫ（Ｑｕａｄｒａｔｕｒｅ　Ｐｈａｓｅ　ＳｈｉｆｔＫｅｙｉｎｇ　）と、ＴＣ−８ＰＳＫ（トレリス８相ＰＳＫ）の復調処理が行える。
【００１７】
すなわち、ＢＳディジタル衛星放送では、ＢＰＳＫと、ＱＰＳＫと、ＴＣ−８ＰＳＫとにより、階層化伝送が行われている。ＴＣ−８ＰＳＫ変調では、１シンボル当たりの情報量は増えるが、降雨による減衰があると、エラーレートが悪化する。これに対して、ＢＰＳＫやＱＰＳＫでは、１シンボル当たりの情報量は少なくなるが、降雨による減衰があっても、エラーレートはさほど低下しない。
【００１８】
送信側では、１つのＴＳパケットを１スロットに対応させて、各ＴＳパケットが４８スロットで構成されるフレームにマッピングされる。各スロット毎に、変調方式や符号化方式を割り当てることができる。各スロットに割り当てられたられた変調方式の種別や符号化率は、ＴＭＣＣ（Ｔｒａｎｓｍｉｓｓｉｏｎ　ａｎｄ　Ｍｕｌｔｉｐｌｅｘｉｎｇ　Ｃｏｎｆｉｇｕｒａｔｉｏｎ　Ｃｏｎｔｒｏｌ）信号により送られる。そして、８フレームを単位としてスーパーフレームが構成され、スロットの位置毎にインターリーブが行われる。
【００１９】
復調回路２３の出力は、エラー訂正回路２４に供給される。エラー訂正回路２４より、エラー訂正処理が行われる。エラー訂正符号化方式としては、外符号にリード・ソロモン符号（２０４，１８８）、内符号に、トレリス符号、畳み込み符号が用いられる。
【００２０】
エラー訂正回路２４の出力がデスクランブラ２５に供給される。デスクランブラ２５で、ＣＡＳ（Ｃｏｎｄｉｔｉｏｎ　Ａｃｃｅｓｓ　Ｓｙｓｔｅｍ　）制御が行われる。
【００２１】
つまり、限定受信の場合には、トランスポートストリームに暗号化が施されている。個人情報はＩＣカード２７に格納されており、ＩＣカード２７は、カードインターフェース３５を介して装着される。
【００２２】
デスクランブラ２５には、受信されたＥＣＭ（Ｅｎｔｉｔｌｅｍｅｎｔ　Ｃｏｎｔｒｏｌ　Ｍｅｓｓａｇｅ　）及びＥＭＭ（Ｅｎｔｉｔｌｅｍｅｎｔ　Ｍａｎａｇｅｍｅｎｔ　Ｍｅｓｓａｇｅ）のセクションの情報が供給されると共に、ＩＣカード２７に記憶されているデスクランブル用の鍵データが供給される。限定受信の場合には、デスクランブラ２５により、受信されたＥＣＭやＥＭＭと、ＩＣカード２７の情報を用いて、デスクランブルが行われる。
【００２３】
また、モデム４７が設けられ、課金情報がモデム４７を介して、番組の放送センタに送られる。
【００２４】
デマルチプレクサ２８は、コントローラ２０からの指令に基づいて、デスクランブラ２５からのトランスポートストリームの中から、所望のパケットのストリームを分離するものである。パケットのヘッダ部にはパケット識別子（ＰＩＤ）が記述されている。デマルチプレクサ２８で、このＰＩＤに基づいて、所望のプログラムのビデオパケット、オーディオパケット、データパケット、ＰＳＩ及びＳＩのパケットが分離される。
【００２５】
ＳＩでは、サービスのチャンネル名や個々の番組タイトル及び開始時刻／継続時間、さらに番組の内容や進行状況など、さまざま情報が適用される。これらの情報は文字のみであるが、受信機で処理して、番組表が作成される。
【００２６】
所望のプログラムのビデオパケットは、ビデオデコーダ２９に送られ、オーディオパケットは、オーディオデコーダ３０に送られる。データパケット、ＰＳＩ及びＳＩのパケットは、コントローラ２０に送られる。
【００２７】
ビデオデコーダ２９は、デマルチプレクサ２８からのビデオパケットを受け取り、ＭＰＥＧ２方式のデコード処理を行って、ビデオ信号を再生するものである。再生されたビデオ信号は、合成回路３１を介して、出力端子３３から出力される。
【００２８】
画面に映し出す各種の表示信号がコントローラ２０からの信号に基づいて、表示回路３２で生成される。この表示回路３２により、ＥＰＧ画面やタイトル画面が生成される。表示回路３２の出力が合成回路３１に供給される。
【００２９】
オーディオデコーダ３０は、デマルチプレクサ２８からのオーディオパケットを受け取り、ＭＰＥＧ２−ＡＡＣのデコード処理を行って、オーディオ信号を形成するものである。再生されたオーディオ信号は、出力端子３４から出力される。
【００３０】
ＢＳディジタル衛星放送チューナ１を操作するための入力は、入力キー４１により行われると共に、リモートコントローラ４２により行われる。リモートコントローラ４２からの赤外線コマンド信号は、受光部４３で受光され、リモコンインターフェース４４を介して、コントローラ２０に送られる。
【００３１】
ＥＰＧを用いて視聴選択を行う場合、画面上に表示した番組時刻表やジャンル別一覧などから、現在放送している番組を選択することが、そのサービスＩＤを（番組番号）を指定することになり、直ちにそのサービスが提供される。将来放送される番組を選択した場合には、番組予約になる。
【００３２】
このように、ＥＰＧを使って番組予約を行う際に、タイトル画面ありに設定しておくと、予約番組が開始される例えば３０秒前から、設定された番組に関するＥＰＧの情報（ＳＩの情報に基づいて形成される）を用いて、チャンネル、放送局名、タイトル、放送日時等が書かれたタイトル画面が作成される。このタイトル画面の画像が出力端子３３から記録装置２に送られ、記録装置２には、タイトル画面が記録される。
【００３３】
そして、予約時間になると、録画予約設定された番組の受信が開始される。すなわち、録画予約設定されたチャンネルに基づいて、チューナ回路２２の受信チャンネル及びデマルチプレクサ２８のＰＩＤが設定され、ビデオデコーダ２９及びオーディオデコーダ３０で、所望の受信チャンネルのビデオ信号及びオーディオ信号が復号される。この所望の受信チャンネルのビデオ信号及びオーディオ信号が記録装置２に送られる。
【００３４】
この発明が適用された衛星放送チューナでは、予約番組が開始される例えば３０秒前から映し出されるタイトル画面がより楽しく、有効活用できるようにされている。より具体的には、タイトル画面が以下のように変化される。
【００３５】
（１）録画開始時刻に応じてタイトル画面の背景を変化させる。
例えば、「朝のタイトル画面」と「昼のタイトル画面」と「夜のタイトル画面」を用意する。予約開始時刻が午前４時から午前１０時までなら「朝のタイトル画面」を表示し、予約開始時刻が午前１０時から午後６時までなら「昼のタイトル画面」を表示し、予約開始時刻が午後６時から午前４時までなら「夜のタイトル画面」を表示する。
【００３６】
（２）ジャンルに応じてタイトル画面を変化させる。
番組のジャンルに応じたタイトル画面を用意する。例えば、予約番組のジャンルがスポーツなら、「スポーツの画面」を表示し、予約番組のジャンルが音楽なら「音楽の画面」を表示し、予約番組のジャンルがニュースなら「ニュースの画面」を表示する。
【００３７】
（３）ユーザに応じてタイトル画面を変化させる。
例えば、家族なら、父用、母用、子供用のタイトル画面を用意する。父が設定した番組なら「父用の画面」を表示し、母が設定した番組なら「母用の画面」を表示し、子供が設定した番組なら「子供用の画面」を表示する。
【００３８】
その他、季節毎にタイトル画面を変化させたら、月ごとにタイトル画面を変化させることが考えられる。
【００３９】
図２は、このように、タイトル画面が切り換えられるようにするための構成を示す機能ブロック図である。
【００４０】
図２において、背景発生部１０１は、複数のタイトル画面の背景を発生できる。例えば、「朝のタイトル画面」と「昼のタイトル画面」と「夜のタイトル画面」のような録画時間に応じた画面の背景や、「スポーツの画面」と「音楽の画面」と「ニュースの画面」のようなジャンルに応じた画面の背景や、「父用の画面」と「母用の画面」と「子供用の画面」のような使用者に応じた画面の背景が発生できる。
【００４１】
表示制御部１０２には、ＥＰＧ情報取得部１０３から、チャンネル、放送局名、タイトル、放送日時等のＥＰＧ情報が送られる。また、録画開始時刻情報取得部１０４から、録画開始時刻が送られる。また、時計情報取得部１０５から、現在の年月日や時刻が送られる。また、ユーザ設定情報取得部１０６から、ユーザ設定情報が送られる。
【００４２】
なお、これら背景発生部１０１、表示制御部１０２、ＥＰＧ情報取得部１０３、録画開始時刻情報取得部１０４、時計情報取得部１０５、ユーザ設定情報取得部１０６、タイトル画面形成部１０７は、図１におけるコントローラ２０及び表示回路３２に対応する。
【００４３】
表示制御部１０２により、時計情報取得部１０５からの現在の時刻と録画開始時刻情報取得部１０４からの録画開始時刻とが比較され、予約設定時間の直前、例えば３０秒前になると、背景発生部１０１からタイトル画面の背景となる画面が発生されると共に、表示制御部１０２から、ＥＰＧ情報取得部１０３からの情報に基づいて、文字情報発生部１０８で、チャンネル、放送局名、タイトル、放送日時等の文字情報が出力される。タイトル画面形成部１０７で、背景発生部１０１からの背景画面と、文字情報発生部１０８からの文字情報とが合成されて、タイトル画面が形成される。このタイトル画面が記録装置２に送られ、記録装置２に記録される。
【００４４】
録画開始時刻になると、ビデオデコーダ２９で、受信番組の信号が出力され、この受信番組の信号が記録装置２に送られ、記録装置２に記録される。
【００４５】
図３は、録画開始時刻に応じてタイトル画面の背景を変化させる場合の処理を示すフローチャートである。図３において、録画開始の例えば３０秒前になったか否かが判断される（ステップＳ１）。録画開始の例えば３０秒前になったら、録画開始時刻情報が取得され（ステップＳ２）、取得された録画開始時刻情報から、録画開始時刻に応じた背景が選択される（ステップＳ３）。
【００４６】
例えば、予約開始時刻が午前４時から午前１０時までなら朝のタイトルの背景が選択され、予約開始時刻が午前１０時から午後６時までなら昼のタイトルの背景が選択され、予約開始時刻が午後６時から午前４時までなら夜のタイトルの背景が選択される。
【００４７】
選択された背景画面と、チャンネル、放送局名、タイトル、放送日時等の文字情報とが合成され、録画開始時刻に応じたタイトル画面が形成される（ステップＳ４）。この録画開始時刻に応じたタイトル画面が出力され、記録装置２に送られ、記録装置２に記録される（ステップＳ５）。
【００４８】
例えば、予約開始時刻が午前４時から午前１０時までなら、図４Ａに示すように、「朝のタイトル画面」が出力されて、記録装置２に記録される。予約開始時刻が午前１０時から午後６時までなら、図４Ｂに示すように、「昼のタイトル画面」が出力されて、記録装置２に記録される。予約開始時刻が午後６時から午前４時までなら、図４Ｃに示すように、「夜のタイトル画面」が出力されて、記録装置２に記録される。
【００４９】
図４Ａに示すように、「朝のタイトル画面」は、朝のタイトルの背景画面２０１Ａに、チャンネル表示２０２Ａ、タイトル表示２０３Ａ、録画日時表示２０４Ａ、録画時間表示２０５Ａを合成して形成される。図４Ｂに示すように、「昼のタイトル画面」は、昼のタイトルの背景画面２０１Ｂに、チャンネル表示２０２Ｂ、タイトル表示２０３Ｂ、録画日時表示２０４Ｂ、録画時間表示２０５Ｂを合成して形成される。図４Ｃに示すように、「夜のタイトル画面」は、夜のタイトルの背景画面２０１Ｃに、チャンネル表示２０２Ｃ、タイトル表示２０３Ｃ、録画日時表示２０４Ｃ、録画時間表示２０５Ｃを合成して形成される。
【００５０】
図５は、ジャンルに応じてタイトル画面の背景を変化させる場合の処理を示すフローチャートである。図５において、録画開始の例えば３０秒前になったか否かが判断される（ステップＳ１１）。録画開始の例えば３０秒前になったら、ジャンル情報が取得され（ステップＳ１２）、取得されたジャンル情報から、ジャンルに応じた背景が選択される（ステップＳ１３）。ジャンル情報は、例えば、ＳＩを基に、ＥＰＧ情報から得られる。
【００５１】
例えば、予約した番組がスポーツならスポーツのジャンルのタイトルの背景が選択され、番組が音楽なら音楽のジャンルのタイトルの背景が選択され、番組がニュースならニュースのジャンルのタイトルの背景」が選択される。
【００５２】
選択された背景画面と、チャンネル、放送局名、タイトル、放送日時等の文字情報とが合成され、ジャンルに応じたタイトル画面が形成される（ステップＳ１４）。このジャンルに応じたタイトル画面が出力され、記録装置２に送られ、記録装置２に記録される（ステップＳ１５）。
【００５３】
例えば、予約した番組のジャンルがスポーツなら、図６Ａに示すように、「スポーツのジャンルのタイトル画面」が出力されて、記録装置２に記録される。予約した番組のジャンルが音楽なら、図６Ｂに示すように、「音楽のジャンルのタイトル画面」が出力されて、記録装置２に記録される。予約した番組がニュースなら、図６Ｃに示すように、「ニュースのジャンルのタイトル画面」が出力されて、記録装置２に記録される。
【００５４】
図６Ａに示すように、「スポーツのジャンルのタイトル画面」は、スポーツのジャンルのタイトルの背景画面３０１Ａに、チャンネル表示３０２Ａ、タイトル表示３０３Ａ、録画日時表示３０４Ａ、録画時間表示３０５Ａを合成して形成される。図６Ｂに示すように、「音楽のジャンルのタイトル画面」は、音楽のジャンルのタイトルの背景画面３０１Ｂに、チャンネル表示３０２Ｂ、タイトル表示３０３Ｂ、録画日時表示３０４Ｂ、録画時間表示３０５Ｂを合成して形成される。図６Ｃに示すように、「ニュースのジャンルのタイトル画面」は、ニュースのジャンルのタイトルの背景画面３０１Ｃに、チャンネル表示３０２Ｃ、タイトル表示３０３Ｃ、録画日時表示３０４Ｃ、録画時間表示３０５Ｃを合成して形成される。
【００５５】
図７は、番組設定したユーザに応じてタイトル画面の背景を変化させる場合の処理を示すフローチャートである。図７において、録画開始の例えば３０秒前になったか否かが判断される（ステップＳ２１）。録画開始の例えば３０秒前になったら、ユーザ情報が取得され（ステップＳ２２）、取得されたユーザ情報から、ユーザに応じた背景が選択される（ステップＳ１３）。
【００５６】
例えば、父親が予約した番組なら父親のタイトル画面の背景が選択され、母親が予約した番組なら母親のタイトル画面の背景が選択され、子供が予約した番組なら子供の画面の背景が選択される。
【００５７】
選択された背景画面と、チャンネル、放送局名、タイトル、放送日時等の文字情報とが合成され、設定したユーザに応じたタイトル画面が形成される（ステップＳ２４）。この設定したユーザに応じたタイトル画面が出力され、記録装置２に送られ、記録装置２に記録される（ステップＳ２５）。
【００５８】
例えば、父親が設定した番組なら、図８Ａに示すように、「父親のタイトル画面」が出力されて、記録装置２に記録される。母親が設定した番組、図８Ｂに示すように、「母親のタイトル画面」が出力されて、記録装置２に記録される。子供が設定した番組なら、図８Ｃに示すように、「子供のタイトル画面」が出力されて、記録装置２に記録される。
【００５９】
図８Ａに示すように、「父親のタイトル画面」は、父親のタイトルの背景画面４０１Ａに、チャンネル表示４０２Ａ、タイトル表示４０３Ａ、録画日時表示４０４Ａ、録画時間表示４０５Ａを合成して形成される。図８Ｂに示すように、「母親のタイトル画面」は、母親のタイトルの背景画面４０１Ｂに、チャンネル表示４０２Ｂ、タイトル表示４０３Ｂ、録画日時表示４０４Ｂ、録画時間表示４０５Ｂを合成して形成される。図８Ｃに示すように、「子供のタイトル画面」は、子供のタイトルの背景画面４０１Ｃに、チャンネル表示４０２Ｃ、タイトル表示４０３Ｃ、録画日時表示４０４Ｃ、録画時間表示４０５Ｃを合成して形成される。
【００６０】
このように、この発明が適用された衛星放送チューナでは、予約番組が開始される直前、例えば３０秒前から映し出されるタイトル画面は、録画開始時刻に応じて、或いは、ジャンルに応じて、或いは、設定したユーザに応じて、タイトル画面の背景が変化される。このため、タイトル画面が変化に富み、ユーザの楽しみが向上し、商品価値の向上が期待できる。
【００６１】
また、このように、タイトル画面を変化させると、再生時に、所望の番組のサーチが簡単に行える。すなわち、例えば記録装置２がアナログのＶＴＲの場合には、正方向又は逆方向にテープを高速再生させながら、所望の画面の検索を行っている。録画開始時刻に応じて、或いは、ジャンルに応じて、或いは、設定したユーザに応じて、タイトル画面が変化されていれば、アナログのＶＴＲで正方向又は逆方向にテープを高速再生させながら、所望の録画時刻やジャンル、設定したユーザに応じた番組の検索が容易に行える。
【００６２】
なお、上述の例では、タイトル画面は、背景画面に文字情報を合成すると説明したが、更に、ロゴやアイコンを表示するようにしても良い。また、タイトル画面を、ユーザが自由に作成できるようにしても良い。
【００６３】
【発明の効果】
以上説明したように、この発明によれば、録画予約する番組のタイトル画面に対する背景を複数発生できるようにすると共に、複数のタイトル画面の背景の中から、所望の背景を選択して出力できるようにし、電子番組案内の情報を基に、タイトル画面に表示する文字情報を発生し、録画開始の直前に、選択された背景と文字情報とを合成してタイトル画面を形成し、タイトル画面を記録装置に記録させるようにしている。このように、タイトル画面は、録画開始時刻に応じて、或いは、ジャンルに応じて、或いは、設定したユーザに応じて、タイトル画面が変化される。このため、タイトル画面が変化に富み、ユーザの楽しみが向上し、商品価値の向上が期待できる。また、このように、タイトル画面を変化させると、再生時に、所望の番組のサーチが簡単に行える。
【図面の簡単な説明】
【図１】この発明が適用できる衛星放送チューナの一例のブロック図である。
【図２】この発明の実施の形態の説明に用いる機能ブロック図である。
【図３】この発明の実施の形態の説明に用いるフローチャートである。
【図４】この発明の実施の形態の説明に用いる略線図である。
【図５】この発明の実施の形態の説明に用いるフローチャートである。
【図６】この発明の実施の形態の説明に用いる略線図である。
【図７】この発明の実施の形態の説明に用いるフローチャートである。
【図８】この発明の実施の形態の説明に用いる略線図である。
【符号の説明】
１０１・・・背景発生部、１０２・・・表示制御部、１０３・・・ＥＰＧ情報取得部、１０４・・・録画開始時刻情報取得部、１０５・・・時計情報取得部、１０６・・・ユーザ設定情報取得部、１０７・・・タイトル画面形成部、１０８・・・文字情報発生部
【図１】
2004120170.tif 000003
【図２】
2004120170.tif 000004
【図３】
2004120170.tif 000005
【図４】
2004120170.tif 000006
【図５】
2004120170.tif 000007
【図６】
2004120170.tif 000008
【図７】
2004120170.tif 000009
【図８】
2004120170.tif 000010